(57)【要約】      （修正有）【課題】バックガードに、着脱自在かつスライド可能にラックを取り付け、しかも取付構造が見えず、溝にゴミや塵がたまらないキッチンキャビネットを提供する。【解決手段】 バックガード４の上部に溝９を設け、この溝９にフック１５を備えたラック５を着脱可能かつ横方向にスライド可能に取付けるとともに、バックガード４の上端に蓋部１０が形成されており、溝９を覆っている。【選択図】図１
2006204948.tif 000002
【特許請求の範囲】
【請求項１】
シンクを有するとともにバックガードが設けられたキッチンキャビネットにおいて、上記バックガードの上部には溝が形成されており、該溝にはラックに付設されたフックを係合可能とすることで、上記ラックがバックガードに着脱自在、かつバックガードの長手方向にスライド自在に吊り懸けられていることを特徴とするキッチンキャビネット。
【請求項２】
上記溝は、バックガード上部に形成された蓋部で覆われていることを特徴とする請求項１記載のキッチンキャビネット。
【発明の詳細な説明】
【技術分野】
【０００１】
本発明は、シンクを有するとともにバックガードが設けられたキッチンキャビネットに関する。特に、バックガードにラックを取り付ける構造及び水栓を取り付ける構造に特徴のあるキッチンキャビネットに関する。
【背景技術】
【０００２】
従来、バックガードが立設されたカウンターにおいて、支持コロ付き調理プレートが、バックガードに設けたレールに案内され、カウンター上を支持コロが転動してスライドするように設けられたものは知られている。
【０００３】
バックガードに引き出しシャワー等の水栓を取り付け、水栓に接続される配管類はバックガードの背面側のスペースからキッチンキャビネット（又はベースキャビネット）内に伸ばされるような構造は知られているところである。キッチンキャビネットのバックガードに水栓を取り付ける構造として、バックガードの背面側から水栓本体をネジ止めするよう構造が知られている（一例として、特許文献１参照）。
【特許文献１】特開平１０−２８０５００号公報
【発明の開示】
【発明が解決しようとする課題】
【０００４】
バックガードにレールを設けてカウンタープレート上をスライドさせるような複雑な構成ではなく、バックガードに簡単に引っかけ着脱自在に取り付けられる小物収納用のラックがあると使用者に便利である。しかし、バックガードにラックを取り付ける場合、ネジなどで固定しなくてはならず、取付作業が面倒であり、又ネジ止めすると外観上も必ずしも見栄えが良いとは言えないという問題があった。
【０００５】
又、バックガードの背面側から水栓本体をネジ止めしてバックガードに取り付ける構造は、施工時、メインテンス等における水栓の取付、取り外し作業は手間がかかる。そして、水栓に接続した配管類をバックガードの背面側スペースからキッチンキャビネット内へ通す構造は、キッチンキャビネットの背板の横桟に引っかかったりして、この点でも作業に手間がかかるという問題があった。
【０００６】
さらに、バックガードに引き出しシャワーを有する混合水栓を取り付けた場合に、使用時に引き出しシャワーを引き出したり挿入したりする際に、シャワーホースがバックガード背面側のスペースやキッチンキャビネットへの通路において、スムースに案内されない等の支障も生じていた。
【０００７】
本発明は、これら従来のキッチンキャビネットのバックガードに関連する構造上の問題を解決することを目的とするものであり、その課題を整理すると次の通りである。
（１）バックガードに着脱可能かつスライド可能であり、見栄えもよいラックの取付構造を実現する。
（２）バックガードに水栓を簡単に取り付けられる取付構造、配管類を簡単にキッチンキャビネット内に通すための構造を実現する。
（３）バックガードに取り付けた水栓の引き出しシャワーホースをスムースに引き出し又挿入できる構造を実現する。
【課題を解決するための手段】
【０００８】
本発明は上記課題を解決するために、シンクを有するとともにバックガードが設けられたキッチンキャビネットにおいて、上記バックガードの上部には溝が形成されており、該溝にはラックに付設されたフックを係合可能とすることで、上記ラックがバックガードに着脱自在、かつバックガードの長手方向にスライド自在に吊り懸けられていることを特徴とするキッチンキャビネットを提供する。
【０００９】
上記溝は、バックガード上部に形成された蓋部で覆われる構成としてもよい。又、この蓋部は、バックガードと一体又は別体に形成されるものである。
【発明の効果】
【００１０】
以上のような構成から成る本発明に係るバックガード付きキッチンキャビネットの効果は、次の通りである。
（１）ラックのフックをバックガードの溝に引っかけることにより、ラックをバックガードに着脱可能に簡単に取り付けることができる。しかもフックを溝に係合した状態でラックを横方向にスライドすることにより、その取付位置を容易に調整できる。前垂れ部を有する蓋部は、溝を覆っているために、溝内にほこりやゴミ等がたまりにくく衛生的であり、しかも前垂れ部が、フック部を隠しているために、見た目もすっきりしている。
【発明を実施するための最良の形態】
【００１１】
本発明に係るバックガード付きキッチンキャビネットを実施するための最良の形態を実施例に基づき図面を参照して、以下説明する
【実施例１】
【００１２】
図１は、本発明に係るキッチンキャビネットの実施例１を示す図であり、シンク２を有するキッチンキャビネット１の天板３後縁部に沿って設けられたバックガード４に、ラック５を着脱自在かつバックガード４に沿って横方向にスライド可能に取り付けて成る構造である。
【００１３】
図１（ａ）に示すように、バックガード４の上部背面には、水平部６が後方に張り出すように突設され、さらに垂直部７が連成されている。バックガード４の上端部８、水平部６及び垂直部７により溝９が形成されている。この垂直部７の頂端に水平な蓋部１０が連成されており、この蓋部１０の前縁には前垂れ部１１が形成されている。なお、この蓋部１０は、上記のように垂直部７の頂端に連成し一体に形成してもよいが、バックガードと別体に形成してもよい。
【００１４】
図１（ａ）で一例を示すように、ラック５は、スチール等の線材でフレーム１２が形成され、棚部１３及び保持枠１４を有し、フレーム１２のその上端にはフック１５が形成されている。図１（ｂ）は、図１（ａ）の要部拡大図であり、バックガード４へのラック５の取り付け構造を示す図である。
【００１５】
ラック５のフック１５をバックガード４の溝９に引っかけることにより、ラック５をバックガード４に着脱可能に吊り懸けて簡単に取り付けることができる。しかも、フック１５を溝９に係合した状態でラック５を、バックガード４の溝９に横方向にスライドし、その取付使用位置を容易に調整できる。前垂れ部１１を有する蓋部１０は、溝９を覆っているために、溝９にほこりやゴミ等がたまりにくく衛生的であり、しかも前垂れ部１１が、溝９へのフック１５の取り付け状態を隠しているために、見た目もすっきりしている。
【００１６】
なお、バックガード４に引っかけて使用するラックは、上端にフックが設けられていれば、特に図１（ａ）に示すような形状でなくてもよいし、又ラックの用途もいろいろと考えられる。例えば、ラックとして、水切り、篭、容器、布巾かけ、調味料棚、ペーパーホルダー、ブックスタンド、レードルフック等に適用可能であり、又フックを付設した調理具等にもさらに適用可能であり、このようなフックを有しバックガードに引っかけることのできるラック、器具を本明細書では広義の意味でラックとする。
【実施例２】
【００１７】
図２は、本発明に係るキッチンキャビネットの実施例２を示す図である。この実施例２のキッチンキャビネット１６は、図２（ｂ）に示すように、シンク（図示せず）を有し、天板３の後縁部に一体又は別体に設けられたバックガード１７に引き出しシャワー付き混合水栓１８が取り付けられた構造である。
【００１８】
バックガード１７には、図２（ｃ）に取付構造の要部を示すように、水栓本体１９を取り付けるための裏板２０が背面からビスで固定されている。この裏板２０には、シャワーホース２１を通す通孔２２が形成されており、さらに本体を固定するビス用のネジ孔も形成されている。
【００１９】
水栓本体１９は、断面Ｌ型の取付用台座２３を有し、この取付用台座２３の垂直部２４がビス２５によって、バックガード１７及び裏板２０に固着され、これによって水栓本体１９がバックガード１７に取り付けられている。即ち、ビスが、垂直部のネジ孔及びバックガード１７の孔を通して裏板のネジ孔に螺着され、取付用台座２３が固定される。これによって、水栓本体１９はバックガード１７に固定される。
【００２０】
バックガード１７に取り付けられる引き出しシャワー付き混合水栓１８は、図２（ａ）〜（ｄ）に示すように、水栓本体１９に調節部２６及び支持部２７が一体的に設けられて構成されている。調節部２６は、給水管２８及び給湯管２９が接続され、給水管２８及び給湯管２９から供給される水及び湯を、レバー３０で操作される周知の混合調整弁（図示せず）で適量ずつ混合管３１内に送って混合することで、温度調節及び水量調整がなされる。
【００２１】
支持部２７は、水栓本体１９から前方にパイプ状に突設されており、その先端に引き出しシャワー３２が挿入、装着されるように構成されている。混合管３１の先端は、バックガード１７の背面側でシャワーホース２１に接続され、このシャワーホース２１は、図示はしないが、バックガード１７の背面側からキッチンキャビネット１６内に通されて折り返され、さらにバックガード１７から水栓本体１９の支持部内に伸ばされて引き出しシャワー３２の基端に接続されている。
【００２２】
混合管３１やシャワーホース２１等の配管類が取り付けられた状態では、取付用台座２３、混合管３１及びシャワーホース２１等は前方からむき出しの状態である。そこで、取付用台座２３の前方からカバー３４が取り付けられる。このカバー３４は、シャワーホース２１が通過できるための十分な空間を形成できるような形状の板材から成る。
【００２３】
カバー３４の後部（図中左側）は、水平部３５を介して垂直部３６が形成されており、この水平部３５及び垂直部３６が取付用台座２３の下端部３３及びバックガード１７にビス３７により固着される。これにより、水栓本体１９の取付用台座２３、混合管３１及びシャワーホース２１は、前方から見えないようにスマートにカバーされる。
【００２４】
以上のような構成の実施例２の引き出しシャワー付き混合水栓１８をバックガード１７へ取り付ける施工手順は次の通りである。
（１）バックガード１７の背面に裏板２０をビス止めし、
（２）バックガード１７（取付式の場合）を天板及び室内壁に取付け、
（３）混合管３１及びシャワーホース２１を、バックガード１７、キッチンキャビネット１６を通して配管し、
（４）水栓本体１９の取付用台座２３を、ビス２５で前方からバックガード１７及び裏板に固定して水栓本体１９をバックガード１７に取付け、
（５）取付用台座２３に前方（手前側）からカバー３４かぶせ、ビス３７で固定する。このように、施工手順はきわめて簡単であるから、施工やメインテナンスがきわめて容易になる。
【００２５】
なお、以上実施例２では、シャワー付き混合水栓の取付構造について説明したが、浄水器についても、水栓本体の取付用台座２３を取り付ける場合と全く同様な取付構造でバックガード１７に取り付けられる。
【実施例３】
【００２６】
図３は、本発明に係るキッチンキャビネットの実施例３を示す図である。この実施例３のキッチンキャビネット３８は、シンクを有し、天板３９の後縁部に設けたバックガード４０に引き出しシャワー付き混合水栓等の水栓や浄水器を取り付けて成るものである。その特徴は、施工時やメインテナンスの際に、水栓に接続されたシャワーホース等の配管類をキッチンキャビネット３８内に簡単に挿入できるようにするための構造にある。
【００２７】
キッチンキャビネット３８の背板４１は、図３（ａ）に示すように、水平に配設される横桟４２を介して室の壁４３に取り付けられる。水栓本体４４をバックガード４０に取り付ける場合に、水栓本体４４に接続されている配管、例えば、シャワーホース４５をバックガード４０の背面側から、キッチンキャビネット３８と壁４３の隙間を通し、さらに背板４１の上部に形成された挿通孔４６を通してキッチンキャビネット１内に通す。
【００２８】
ところで、バックガード４０と背板４１は、通常ほぼ同じ垂直面に（面一に）配置されており、このために図３（ｃ）に示すように、シャワーホース４５をバックガード４０の背面側からキッチンキャビネット３８内に通そうとすると、先端部４７が横桟４２に当接してしまい、キッチンキャビネット３８内に通しづらい。又、メインテナンス等のために水栓本体４４をバックガード４０からとりはずし、混合管等の配管類を引き出す場合に、天板３９と背板４１の上端との間の隙間の間隔Ｓが小さいために、天板３９の後縁部に先端部４７がひっかかかってしまい引き出しにくい。
【００２９】
そこで、この実施例３では、図３（ｂ）に示すように、横桟４２の上面を前方に向かって下方に傾斜した案内面に形成し、しかもキッチンキャビネット３８の天板３９と背板４１の上面との間の隙間の間隔Ｓを大きくすることで、シャワーホース４５等の配管類をキッチンキャビネット３８内に通しやすく、又引き出しやすい構造とし、バックガード４０へ水栓本体４４を取り付け易くしている。
【実施例４】
【００３０】
図４は、本発明に係るキッチンキャビネットの実施例４を示す図である。この実施例４のキッチンキャビネット４８も、上記実施例２同様に、シンクを有し、天板４９の後縁部に設けたバックガード５０に引き出しシャワー付き混合水栓を取り付けて成るものである。
【００３１】
その特徴は、シンクを有するとともにバックガードが設けられ、該バックガード５０に水栓が取り付けられたキッチンキャビネットにおいて、水栓本体５２の取付用台座５８の上部に係止部５９を形成し、上記バックガード５０の前面には、取り付け金具６１により、上記係止部５９を係合する受け部６２を形成して、上記水栓本体の取付用台座５８の上部の上記係止部５９を受け部６２に係合させて取り付けるとともに、上記水栓本体の取付用台座５８の下部とバンクガード５０の前面とをビスで固定した構成である。
【００３２】
さらに、実施例４の特徴は、引き出しシャワー付き混合水栓をバックガードに簡単に取り付けられる取付構造と、引き出しシャワーホース等の使用時に、滑らかに、シャワーホースを引き出したり、挿入したりできるようにするガイドを設けた点である。これらの特徴を、さらに具体的に説明する。
【００３３】
実施例４の引き出しシャワー付き混合水栓５１は、実施例２同様に、図４（ａ）において、水栓本体５２の調節部５５で給水管及び給湯管から供給される水及び湯を、レバーで操作される調整弁で適量ずつ混合管５３内に送って混合し温度及び湯水量を調整し、シャワーホース５４を通して、支持部５６に装着される引き出しシャワー５７へ送給するように構成されている。
【００３４】
水栓本体５２は、図４（ａ）、（ｂ）において、内部にスペースが形成された取付用台座５８を有し、この取付用台座５８の上部基端側（図中左側）には下方に突出する係止部５９が形成されており、取付用台座５８の下部には垂直部６０及び水平縁部形成されている。水栓本体５２は、バックガードに取付金具６１を介して取り付けられる。
【００３５】
取付金具６１は、上縁部に前方に突出するフック状の受け部６２が形成されているとともに、シャワーホース５４を通す通孔６３が形成されている。さらに、取付金具６１の下部には、図４（ｃ）に示すようなシャワーホースを通すガイド６４がビス６５により固定されて水平に取り付けられている。このガイド６４は、メガネ枠のような二つのリングフレーム６６を有し、夫々折り返されたシャワーホース５４が挿通されてガイドされるような構成となっている。
【００３６】
この引き出しシャワー付き混合水栓５１の取付に際しては、バックガード５０の前方（手前側）から取付金具６１を固定し、さらに、ガイド６４をバックガードの背面に取り付けて金具６１側からビスで固定する。そして、シャワーホース５４の先端を、取付金具６１及びバックガード５０を通してその背面側に通し、さらにガイド６４のフレームリング６６を上方から挿通し、折り返して下方から他方のフレームリング６６’を通して混合管５３にカップラ６７で接続する。
【００３７】
そして、取付用台座５８の係止部５９を取付金具６１のフック状の受け部６２に係合させた状態で、取付用台座５８の下部の垂直部６０及び水平部を取付金具６１の下端部に当接させて、垂直部６０を取付金具６１にビス止めし、取付用台座５８をバックガード５０に固定する。なお、取付金具６１は、単にフック状の受け部６１の部分だけから成り、それをバックガードに固定して成る構成としてもよい。さらに、バックガード５０に一体的にフック状の受け部を形成して、取付金具等を介さないでバックガードに５０に取付用台座５８を、その係止部５９を受け部に係合し、その下部をビスで固定して取り付ける構成としてもよい。
【００３８】
実施例４のキッチンキャビネット４８によれば、水栓本体５２の着脱は、係止部５９をフック状の受け部６２へ係合し、垂直部６０を取付金具６１へビス止めすれば簡単に行えるから、施工及びメインテナンスが簡単となる。さらに、キッチンキャビネット４８では、バックガード５０背面側にガイド６４が取り付けられているから、シャワーホース５４がガイド６４内を通過しより滑らかに案内され、引き出しシャワー５７の挿入、引き出しがきわめてスムースとなり、使い勝手が良くなる。
【００３９】
以上、本発明の実施の形態を実施例に基づいて説明したが、本発明は、上記実施例に限定されることなく、特許請求の範囲記載の技術的事項の範囲内でいろいろな実施例があることは言うまでもない。なお、上記実施例は、バックガードに関連する構造としてキッチンキャビネットについて説明したが、洗面用シンク及びバックガードを有する洗面キャビネットについても本発明の技術が応用可能であることは言うまでもない。
【図面の簡単な説明】
【００４０】
【図１】本発明に係るキッチンキャビネットの実施例１を示す図であり、（ａ）は全体斜視図であり、（ｂ）は要部拡大図である。
【図２】本発明に係るキッチンキャビネットの実施例２を示す図であり、（ａ）上面図、（ｂ）は断面図、（ｃ）は（ｂ）の要部拡大図、（ｄ）は正面図である。
【図３】本発明に係るキッチンキャビネットの実施例３及び従来例を示す図であり、（ａ）は断面図、（ｂ）は（ａ）の要部拡大図、（ｃ）は従来例を説明する図である。
【図４】本発明に係るキッチンキャビネットの実施例４を示す図であり、（ａ）は断面図、（ｂ）は（ａ）の要部拡大図、（ｃ）は（ｂ）の要部拡大図である。
【符号の説明】
【００４１】
１、１６、３８、４８  キッチンキャビネット       
２ シンク                                       
３、３９、４９  天板                             
４、１７、４０、５０  バックガード               
５  ラック                                       
９  溝                                           
１０  蓋部                                       
１１  前垂れ部                                   
１３  棚                                         
１５  フック                                     
１８、５１  引き出しシャワー付き混合水栓         
１９、４４、５２  水栓本体                       
２０  裏板                                       
２１、３３、４５、５４  シャワーホース           
２３、５８  取付用台座                           
２６、５５  調節部                               
２７、５６  支持部                               
３１、５３  混合管                               
３２、５７  引き出しシャワー                     
３４  カバー                                     
４１  背板                                       
４２  横桟                                       
６１  取付金具                                   
６４  ガイド                                     
６６、６６’  リングフレーム                     
【図１】
2006204948.tif 000003
【図２】
2006204948.tif 000004
【図３】
2006204948.tif 000005
【図４】
2006204948.tif 000006